(57)【特許請求の範囲】
【請求項１】
床面に送気孔を開口し、床面の上には人工芝を敷設して構成し、
人工芝を敷設した床面の一部に人工芝の巻取ドラムを設け、
この巻取ドラムの下側に巻取受けベルトを配置し、
この巻取受けベルトは、巻取ドラムと平行に配置した複数本のローラーに巻き掛けて所定間隔で構成した、
人工芝の敷設の構造。
【請求項２】
送気孔からは、
人工芝の裏面に、加圧空気または負圧空気を供給できるように構成した、
請求項１記載の、人工芝の敷設の構造。
【請求項３】
巻取ドラムは、
巻き取った人工芝の直径の増加とともに、ドラムの位置が上昇するように、昇降ユニットによって支持して構成した、
請求項１記載の、人工芝の敷設の構造。
【請求項４】
巻取ドラムの回転と、巻取受けベルト移動量とを同調させ、
巻取り直径の増加にともない、
巻取受けベルトの移動量が増加し、
巻取量の減少にともなって巻取受けベルトの移動量が低下するように設定した、
請求項１記載の、人工芝の敷設の構造。
【請求項５】
人工芝の敷設部分と、
人工芝の巻取ドラムとの間に案内ローラーを設け、
この案内ローラーに、
人工芝の移動量を調整する機能を与えて構成した、
請求項１記載の、人工芝の敷設の構造。
【請求項６】
人工芝の敷設部分と、
人工芝の巻取ドラムとの間に案内ローラーを設け、
この案内ローラーに接近して、
人工芝の移動量を調整する機能を備えた調整ローラーを配置して構成した、請求項１記載の、人工芝の敷設の構造。
【請求項７】
人工芝の移動量を調整するローラーは、
複数の分割ローラーによって構成した、
請求項５、あるいは６記載の、人工芝の敷設の構造。
【請求項８】
複数の分割ローラーは、
鉛直軸を中心に方向を変更できるように構成した、
請求項７記載の、人工芝の敷設の構造。
【請求項９】
複数の分割ローラーは、
人工芝の移動方向と直交しない方向に向けて設定し、
この分割ローラーを昇降自在に構成した、
請求項７記載の、人工芝の敷設の構造。
【請求項１０】
人工芝の移動量を調整するローラーは、
人工芝の両側の位置に、
人工芝を上下から挟む状態で設置し、
人工芝の移動方向と直交する方向に向けて移動可能に構成した、
請求項７記載の、人工芝の敷設の構造。
【請求項１１】
人工芝に対し、
人工芝の巻き取り側とは反対側から複数台のウインチによって引張力を与え、
かつウインチごとに、その引張力を調整可能に構成した、
請求項７記載の、人工芝の敷設の構造。
【発明の詳細な説明】
【０００１】
【発明の属する技術分野】
本発明は、人工芝の敷設の構造に関するものである。
【０００２】
【従来の技術】
従来の人工芝の敷設の構造は図８に示すような構成が採用されている。
すなわち、人工芝ｄを敷設する予定の床面ａに送気孔ｂを設け、この送気孔ｂの内部には送風機ｃを設置する構造を採用している。
あるいは図９に示すように大型の送風機ｃで製造した圧縮空気を、床下の配管ｅを通して数か所に開口する構造を採用している。
そして人工芝ｄの展開時、収納時には送風機ｃで発生した空気を人工芝ｄの裏面に送風して多少の間隔だけ床面ａから浮上させ、ウインチなどによって人工芝ｄを引っ張って行っていた。
また、人工芝の巻き取りは、図に示すように巻き取りドラムｆへ直接巻き取る構造を採用していた。
【０００３】
【本発明が解決しようとする課題】
前記した従来の人工芝の敷設の構造にあっては、次に示すような問題点が存在した。
＜イ＞圧縮空気が、人工芝の全裏面にバランス良く供給されにくい。そのために全体をスムーズに浮上させることができず、人工芝の展開のためには大きな牽引力が必要であった。
＜ロ＞圧縮空気の供給後に人工芝の裏面の空気を完全に排除できず、一部に空気溜まりが発生して芝の面に凹凸が生じる場合があった。
＜ハ＞各送気孔ごとに送風機が設置してある構造であるために、送風機と人工芝とが接近しており、なんらかの原因で送風機が加熱した場合には人工芝が破損する可能性がある。
＜ニ＞人工芝をドラムに直接に巻き取る構造であるために、巻厚が増加するにしたがって軸受けに発生した集中荷重によって圧縮変形が発生しやすい。
その結果、巻き弛みがおこりスムーズな巻取が困難となる場合があった。
＜ホ＞幅が数十メートルに及ぶ人工芝を巻き取る工程で、位置によって巻き取り量に差が生じることがある。すると整然とした巻取筒を形成することができず、一巻きごとに位置が竹の子状にずれてしまい、その修正に多大な手数を要していた。
【０００４】
本発明は上記したような従来の問題を解決するためになされたもので、人工芝の全面を円滑に浮上させることができ、大きな牽引力を必要とせずにスムーズで正確な展開、巻き取り収納が可能な、人工芝の敷設の構造を提供することを目的とする。
【０００５】
【課題を解決するための手段】
上記のような目的を達成するために本発明の人工芝の敷設の構造は、床面に送気孔を開口し、床面の上には人工芝を敷設して構成し、人工芝を敷設した床面の一部に人工芝の巻取ドラムを設け、この巻取ドラムの下側に巻取受けベルトを配置し、この巻取受けベルトは、巻取ドラムと平行に配置した複数本のローラーに巻き掛けて所定間隔で構成し、巻取受けベルトを巻き掛けたローラーの１本は、回転駆動源と連結して構成した人工芝の敷設の構造を特徴としたものである。
【０００６】
【本発明の実施の態様】
以下図面を参照して本発明の人工芝の敷設の構造の実施例を説明する。
【０００７】
＜イ＞浮上装置。
人工芝１を敷設する予定の床面２に多数の送気孔３を平均的に分散した状態で開口する。この送気孔３には従来のように直接送風機を設置するのではなく、送気管４の排気筒を開放する。そして各排気筒を、例えば床面２の下側に配管した送気管４に連結し、送気管４の他端はコンプレッサーＣに接続する。（図１）
【０００８】
あるいは送気管４を用いず、床面の一部を二重床としてその間の空間を空気の通路として利用して送気孔３を開口することもできる。（図２）
この状態で床面２に人工芝１を敷設すれば、平均的に分散した多数の送気孔３から人工芝１の裏面に向けて圧縮空気を噴出することができる。
あるいはコンプレッサーＣを負圧にすれば、平均的に分散した多数の送気孔３を利用して床面２と人工芝１の裏面にたまった残留空気を吸引して空気溜まりの残らない敷設状態を形成することもできる。
【０００９】
＜ロ＞巻取装置。（図３）
人工芝１を敷設した床面２の端部に芝の収納室５を設ける。
この収納室５の内部には人工芝１の巻取ドラム６を設置する。巻取ドラム６は、巻き取った人工芝１の直径の増加とともに、位置が上昇するように、昇降ユニットによって支持する。昇降ユニットは、巻取ドラム６の重量の増加を検知してジャッキの伸縮でドラム６の昇降を行うような構成を採用することができる。
この巻取ドラム６の下側に巻取受けベルト７を配置する。この巻取受けベルト７は、巻取ドラム６と平行に配置した複数本のローラー８に巻き掛けて所定間隔で構成する。
【００１０】
この巻き掛けローラー８は、平面的に巻取ドラム６の両側に平行に配置する。さらに、巻取受けベルト７に一定の張力を与えるために、巻取受けベルト７の内側にはテンションローラー９を配置する。
そして巻取受けベルト７を巻き掛けたローラーの１本は、チェーンやギヤを介して回転駆動源と連結する。
巻取ドラム６の回転と、巻取受けベルト７移動量とは、ギヤなどを介して同調させ、巻取り直径の増加にともない、巻取受けベルト７の移動量が増加し、巻取量の減少にともなって巻取受けベルト７の移動量が低下するように設定する。
【００１１】
＜ハ＞巻き取り量の調整機構。
人工芝１の敷設部分と、人工芝１の巻取ドラム６との間に案内ローラー１０を設ける。案内ローラー１０は水平回転軸を有するローラーである。
この案内ローラー１０に、人工芝１の移動量を調整する機能を与えて構成することができる。
その場合には例えば図４に示すように案内ローラー１０に、中央を境界として反対方向に巻いた螺旋条１２を突設して形成する。すると人工芝１の巻き取り時には案内ローラー１０の螺旋条によって人工芝１には両側への引張力が作用し、常にピンと張り詰めた状態で均一の量を巻き取ることができる。
【００１２】
あるいは図５に示すように案内ローラー１０に接近して、別に人工芝１の移動量を調整する機能を備えた調整ローラーを配置することもできる。
この調整ローラーは１本のローラーを複数に分割した分割ローラー１１で構成する。そして各分割ローラー１１の水平回転軸を支持する鉛直軸にジャッキなどの方向制御装置を取り付ける。
通常は、分割ローラー１１はその回転軸を人工芝１の移動方向と直交する方向に向けて設定しておく。人工芝１の巻き取り時に芝全体の偏心が発生したら、方向制御装置によって一部の分割ローラー１１を、人工芝の移動方向と直交しない角度に回転する。すると分割ローラー１１が当たることによって人工芝１の巻き取り方向と直交する方向の移動量が変化する。
分割ローラー１１の角度調整によって、移動の変化量を調整し、人工芝１の全体の偏心を修正することができる。
【００１３】
あるいは、複数の分割ローラー１１を、始めから人工芝１の移動方向と交差する方向に向けて設定しておく。そしてこの分割ローラー１１を昇降自在に設定する。通常は、分割ローラー１１は下降しておき、人工芝１の巻き取り時に部分的な偏心が発生したら、一部の分割ローラー１１を上昇させる。
すると上昇した分割ローラー１１が当たることによって人工芝１の移動量が変化し、人工芝１の全体の偏心を修正することができる。
【００１４】
あるいは図６に示すように、人工芝１の偏心量を調整するローラーとして、人工芝１の両側の位置に、人工芝１を上下から挟む状態で挟みローラー１３を設置しておく。この挟みローラー１３は、人工芝１を上下両面から把持する状態に配置してあるから、人工芝１の移動方向への移動は自由に許容するが、移動方向と直交する方向への移動は拘束する。
したがって人工芝１の巻き取り状態が不均一になった場合には、ジャッキの伸縮によって人工芝１を移動方向と直交する方向へ強制的に押し出し、あるいは引きつけることができ、正常な巻き取り状態に修正することができる。
【００１５】
あるいは図７に示すように、人工芝１に対し、人工芝１の巻取りドラム６の設置位置とは反対側から複数台のウインチ１５を配置する。そしてこのウインチ１５によって人工芝１に巻取ドラム６の巻き取り力よりも小さい引張力を与える。人工芝１の巻き取り状態が不均一となった場合には、その状態に応じてウインチ１５ごとに、その引張力を調整すれば、正常な巻き取り状態に修正することができる。あるいは複数台のウインチ１５群を左右の２つのグループに分け、巻き取り中にいずれかのグループのウインチ１５群によって人工芝１に引張力を与えれば、芝１の巻き取り状態を修正することができる。
【００１６】
＜ニ＞芝の浮上方法。
人工芝１を引き出して敷設する場合、あるいは敷設してある人工芝１を収納する場合に、コンプレッサーから圧縮空気を供給する。すると圧縮空気は送気管４を経由して送気孔３から人工芝１の裏面に供給できる。
送気孔３群を設置する位置の分布、および圧縮空気の供給圧を適当に調整すれば、人工芝１の全面を適度な状態で浮上させることができる。
その結果、わずかな牽引力によって人工芝１の敷設、収納を行うことができる。  人工芝１を敷設した後に、床面２と人工芝１の裏面との間に空気が残留した場合には凹凸が生じてしまう。そのような場合にはコンプレッサーＣから負圧を供給する。すなわち、吸引、排気することによって、残留空気は順調に吸引されて、人工芝１は床面２に密着して空気溜まりの残らない敷設状態を形成することができる。
【００１７】
＜ホ＞人工芝１の巻取り、巻き出し。
人工芝１を巻取る場合には、人工芝１を浮上させ、床面２の端部に設けた収納室５内の巻取ドラム６を回転する。
この巻取ドラム６の下側に巻取受けベルト７を配置してあり、この巻取受けベルト７は、巻取ドラム６と平行に配置した複数本のローラー８に巻き掛けて所定間隔で構成してある。さらに、巻取ドラム６の回転と、巻取受けベルト７移動とを同調させてある。
そのために、巻取ドラム６に巻き取った人工芝１の筒体は、その下面をベルト７によって支えられた状態で直径が増加し、直径の増加にしたがってベルト７は高速で移動し、かつ巻取ドラム６の位置は徐々に上昇する。
その結果、巻き取られた人工芝１は、筒状態の下面をつねにベルト７で支えられた状態で回転を続け、一部に偏った緩みなどが生じることがない。
人工芝１の巻き出しに際しては、やはり人工芝１を浮上させつつ、人工芝１の一端をウインチなどで引き出して行う。
【００１８】
【本発明の効果】
本発明の人工芝１の敷設の構造は以上説明したようになるから次のような効果を得ることができる。
＜イ＞圧縮空気の供給は、従来のように各送気孔３に送風機を設ける構成とことなり、少数のコンプレッサーによって送気孔３から噴出させる構成であるから、低額のコストで多数の送気孔３を分散させて配置できる。
そのために圧縮空気を人工芝１の全裏面にバランス良く供給することができ、全体をスムーズに浮上させることができる。したがって人工芝１の展開、収納に際しても小さい牽引力、駆動力によってスムーズに行うことができる。
＜ロ＞人工芝１の敷設後に、その裏面の空気を完全に排除できず、一部に空気溜まりが発生する場合がある。その際には送気孔３から人工芝１の裏面に負圧を供給することによって残留空気を順調に吸引して、人工芝１を床面２に密着させ空気溜まりの残らない敷設状態を形成することができる。
＜ハ＞各送気孔３は単に排気口が開口しているだけである。このように圧気の供給源と人工芝１とが接近していないから、なんらかの原因で装置、機器の一部が加熱しても人工芝１に影響を与えることがない。
＜ニ＞人工芝１をドラム６に巻き取るに際して、その下面から直径の増加する人工芝１をベルト７で支持している。したがって巻厚が増加しても人工芝１の筒体には集中荷重が加わることがなく、圧縮変形を発生せずスムーズな巻取が可能となる。
＜ホ＞人工芝１は良好に浮上した状態で移動するから、摩擦抵抗を著しく低減することができ、人工芝１の自体の耐久寿命を向上させることができる。
＜ヘ＞人工芝の巻き取り量を調整することができるから、巻き取り位置を常に一定に保持することができる。そのために竹の子状の乱巻きの発生を防止でき、整然とした正確な円筒状に巻き取ることができる。
【図面の簡単な説明】
【図１】本発明の人工芝の敷設の構造の実施例の説明図。
【図２】他の構造の実施例の説明図。
【図３】巻き取り装置の実施例の説明図。
【図４】巻き取り方向の修正装置の実施例の説明図。
【図５】巻き取り方向の修正装置の他の実施例の説明図。
【図６】巻き取り方向の修正装置の他の実施例の説明図。
【図７】巻き取り方向の修正装置の他の実施例の説明図。
【図８】従来の人工芝の敷設の構造の実施例の説明図。
【図９】従来の人工芝の敷設の構造の実施例の説明図。
【図１】
0003831540.tif 000002
【図２】
0003831540.tif 000003
【図３】
0003831540.tif 000004
【図４】
0003831540.tif 000005
【図５】
0003831540.tif 000006
【図６】
0003831540.tif 000007
【図７】
0003831540.tif 000008
【図８】
0003831540.tif 000009
【図９】
0003831540.tif 000010